(57)【要約】      （修正有）【課題】実際にボールやシャトルコックを打つことができると共に、実際に即した状態で素振り練習を行うことができるラケット用錘を提供する。【解決手段】バトミントンラケット１のヘッド２を覆う帯状体１１と、この帯状体１１の両端部に接続され、帯状体１１を環状のヘッド２に着脱自在に保持する保持部１４とを備えており、バトミントンラケット１の全重量の３０％〜７０％の重量を有している。帯状体１１は、伸縮性を有する長尺帯状の布地の両側部を内面側に折り返して縫い付けることで幅方向の両側部に挿入部を形成した基布と、この挿入部に通したゴム紐とから構成されており、保持部１４は、帯状体１１の両端部をそれぞれ内面側に折り返して縫い付けることによって形成された双方の挿入部にゴム紐を通した状態で、その両端部を相互に接続したものである。【選択図】図１
0003185614.tif 000002
【実用新案登録請求の範囲】
【請求項１】
テニスやバトミントンのラケットに装着して使用するラケット用錘であって、
ストリングスが張られているラケットの環状枠を覆う帯状体と、
前記帯状体の両端部に接続され、前記帯状体を前記環状枠に着脱自在に保持する保持部と
を備えていることを特徴とするラケット用錘。
【請求項２】
前記帯状体は、長手方向に伸縮性を有しており、環状枠の周方向に伸長した状態で装着されるようになっている請求項１に記載のラケット用錘。
【請求項３】
前記帯状体は、幅方向の両側縁が内面側に突出している請求項１または２に記載のラケット用錘。
【請求項４】
ラケットの全重量の２０％〜７０％の重量を有している請求項１、２または３に記載のラケット用錘。
【考案の詳細な説明】
【技術分野】
【０００１】
この考案は、素振りする際にテニスラケットやバトミントンラケットに装着して使用するラケット用錘に関する。
【背景技術】
【０００２】
バトミントンやテニスにおいて、ラケットスイングのスピードアップやパワーアップを図るためには、負荷を掛けた状態で素振り練習をする必要があり、例えば、図７に示すような素振り用ラケットが提案されている。この素振り用ラケット５０は、同図に示すように、ストリングスが張られるフレームの環状枠５１に、ストリングスに代えて、複数本の紐５２を介して錘５３を取り付けたものであり、錘５３は環状枠５１の中央部に配設されている。
【０００３】
また、自分が使用しているラケットに負荷をかける部材を着脱自在に装着する場合もある。例えば、メッシュ素材によって形成されたフェースカバーをラケットのフェース部分に装着することで、素振りしたときに空気抵抗によって適度な負荷をかけるようにしたものや、フレームの環状枠の一部に錘を取り付けることによって負荷をかけるようにしたもの等がある。
【先行技術文献】
【特許文献】
【０００４】
【特許文献１】実用新案登録第３０２７９６９号公報
【考案の概要】
【考案が解決しようとする課題】
【０００５】
ところで、上述した素振り用ラケットは素振り専用のラケットであり、ストリングスが張られる環状枠５１の中央部にストリングスの代わりに錘５３が配設されているため、直接ボールを打つことができないだけでなく、素振りしたときに錘５３部分が風の抵抗を受けるので、スイングの軌道が変わってしまうといった問題もある。
【０００６】
また、フェースカバーをテニスラケットに装着する場合も、上述した素振り用ラケットと同様に、直接ボールを打つことができず、素振りしたときに風の抵抗を受けるので、スイングの軌道が変わってしまうといった同様の問題がある。
【０００７】
そこで、この考案の課題は、実際にボールやシャトルコックを打つことができると共に、実際に即した状態で素振り練習を行うことができるラケット用錘を提供することにある。
【課題を解決するための手段】
【０００８】
上記の課題を解決するため、請求項１に係る考案は、テニスやバトミントンのラケットに装着して使用するラケット用錘であって、ストリングスが張られているラケットの環状枠を覆う帯状体と、前記帯状体の両端部に接続され、前記帯状体を前記環状枠に着脱自在に保持する保持部とを備えていることを特徴とするラケット用錘を提供するものである。
【０００９】
また、請求項２に係る考案は、請求項１に係る考案のラケット用錘において、前記帯状体は、長手方向に伸縮性を有しており、環状枠の周方向に伸長した状態で装着されるようになっていることを特徴としている。
【００１０】
また、請求項３に係る考案は、請求項１または２に係る考案のラケット用錘において、前記帯状体は、幅方向の両側縁が内面側に突出していることを特徴としている。
【００１１】
また、請求項４に係る考案は、請求項１、２または３に係る考案のラケット用錘において、ラケットの全重量の２０％〜７０％の重量を有していることを特徴としている。
【考案の効果】
【００１２】
以上のように、請求項１に係る考案のラケット用錘は、ストリングスが張られている環状枠を覆う帯状体を、その両端部に接続された保持部によって、環状枠に着脱自在に保持するようにしたので、このラケット用錘をラケットに装着した状態であっても、実際にボールやシャトルコックを打つことができるだけでなく、風の抵抗を受けにくいので、スイングの軌道が変わってしまうことがなく、実際に即した状態で素振り練習を行うことができる。
【００１３】
また、このラケット用錘をラケットに装着すると、環状枠の外面が帯状体によって覆われるので、環状枠に傷が付きにくく、しかも、装着状態のままでラケットケースに収容することができるので、取り扱い易いという効果もある。
【００１４】
また、請求項２に係る考案のラケット用錘は、帯状体が、長手方向に伸縮性を有しており、環状枠の周方向に伸長した状態で装着されるようになっているので、装着状態では、帯状体がラケットの環状枠に密着することになり、素振りしたり、実際にボールやシャトルコックを打ったりしても、ラケットから外れることがなく、安定した装着状態を確保することができる。
【００１５】
特に、請求項３に係る考案のラケット用錘は、帯状体の幅方向の両側縁が内面側に突出しているので、装着状態では、帯状体の内面側に突出した両側縁の間に、ラケットの環状枠が入り込み、さらに外れにくくなるという効果がある。
【００１６】
また、請求項４に係る考案のラケット用錘は、ラケットの全重量の２０％〜７０％の重量を有しているので、スイングしたときに適度な負荷がかかり、ラケットスイングのスピードアップやパワーアップの練習に資することができる。
【図面の簡単な説明】
【００１７】
【図１】（ａ）はこの考案に係るラケット用錘の一実施形態を装着したバトミントンラケットを示す正面図、（ｂ）は同上のバトミントンラケットを示す側面図である。
【図２】同上のラケット用錘を示す平面図、（ｂ）は同上のラケット用錘を示す側面図、（ｃ）は（ａ）のＸ−Ｘ線に沿った断面図である。
【図３】同上のラケット用錘のラケットの環状枠への装着状態を示す断面図である。
【図４】（ａ）はこの考案に係るラケット用錘を装着したテニスラケットを示す正面図、（ｂ）は同上のテニスラケットを示す側面図である。
【図５】（ａ）は他の実施形態であるラケット用錘を外面側から視た図、（ｂ）は同上のラケット用錘を内面側から視た図である。
【図６】同上のラケット用錘を装着したバトミントンラケットを示す部分正面図である。
【図７】従来の素振り用ラケットを示す正面図である。
【考案を実施するための形態】
【００１８】
以下、実施の形態について図面を参照して説明する。図１（ａ）、（ｂ）は、本考案のラケット用錘１０を装着したバトミントンラケット１を示している。バトミントンラケット１は、同図に示すように、複数のストリングス３を格子状に張った環状のヘッド２が、シャフト４を介して、ハンドル５に接続したものであり、環状のヘッド２部分にラケット用錘１０が着脱自在に装着されている。
【００１９】
前記ラケット用錘１０は、図２（ａ）〜（ｃ）に示すように、バトミントンラケット１のヘッド２を覆う帯状体１１と、この帯状体１１の両端部に接続され、帯状体１１を環状のヘッド２に着脱自在に保持する保持部１４とを備えており、バトミントンラケット１の全重量の３０％〜７０％の重量を有している。
【００２０】
前記帯状体１１は、ポリウレタン糸によって編成された伸縮性を有する長尺帯状の布地の両側部を内面側に折り返して縫い付けることで幅方向の両側部に挿入部１２ａを形成した基布１２と、この基布１２の挿入部１２ａに通した、直径４ｍｍ程度の伸縮性を有するゴム紐１３とから構成されており、基布１２の挿入部１２ａに通したゴム紐１３は、その両端部が基布１２に縫い付けられている。
【００２１】
前記基布１２における挿入部１２ａ間の幅は、バトミントンラケット１のヘッド２の幅よりも若干広めに設定されていると共に、ゴム紐１３が挿入固定されている基布１２の挿入部１２ａは内面側に突出しており、図３に示すように、内面側に突出した基布１２の両側部（挿入部１２ａ）の間に、バトミントンラケット１のヘッド２が嵌り込むようになっている。
【００２２】
前記保持部１４は、図２（ａ）、（ｂ）に示すように、上述したゴム紐１３と同様のゴム紐１５を、帯状体１１の両端部をそれぞれ内面側に折り返して縫い付けることによって形成された双方の挿入部１１ａ、１１ａに通した状態で、その両端部を相互に接続したものであり、帯状体１１の両端部が保持部１４を介して相互に接続され、全体として環状に形成されている。
【００２３】
以上のように構成されたラケット用錘１０は、帯状体１１の両端部を接続しているリング状のゴム紐１５にバトミントンラケット１のハンドル５及びシャフト４を通して、帯状体１１をヘッド２の外周面に被せると、帯状体１１及び保持部１４を形成しているゴム紐１５がヘッド２の周方向に伸長した状態で、帯状体１１を構成している基布１２の内面側に突出した両側部（挿入部１２ａ）の間にヘッド２が嵌り込み、ラケット用錘１０がバトミントンラケット１に装着される。
【００２４】
このようにしてバトミントンラケット１に装着されたラケット用錘１０は、まず、保持部１４を形成しているゴム紐１５を介して両端部が接続されている帯状体１１をさらに伸長させることによってヘッド２から外し、リング状のゴム紐１５をバトミントンラケット１のシャフト４及びハンドル５から抜き取ることによって簡単に取り外すことができる。
【００２５】
以上のように、このラケット用錘１０は、ストリングス３が張られている環状のヘッド２を覆う帯状体１１を、その両端部に接続された保持部１４によって、ヘッド２に着脱自在に保持するようにしたので、このラケット用錘１０をバトミントンラケット１に装着した状態であっても、実際にシャトルコックを打つことができるだけでなく、風の抵抗を受けにくいので、スイングの軌道が変わってしまうことがなく、実際に即した状態で素振り練習を行うことができる。
【００２６】
特に、このラケット用錘１０は、バトミントンラケット１の全重量の３０％〜７０％の重量を有しているので、スイングしたときに適度な負荷がかかり、ラケットスイングのスピードアップやパワーアップの練習に資することができる。
【００２７】
また、このラケット用錘１０をバトミントンラケット１に装着すると、ヘッド２の外面が帯状体１１によって覆われるので、ヘッド２に傷が付きにくく、しかも、装着状態のままでラケットケースに収容することができるので、取り扱い易いという効果もある。
【００２８】
また、このラケット用錘１０は、帯状体１１が、長手方向に伸縮性を有しており、ヘッド２の周方向に伸長した状態で装着されるようになっているので、装着状態では、帯状体１１がヘッド２に密着することになり、素振りしたり、実際にシャトルコックを打ったりしても、バトミントンラケット１から外れることがなく、安定した装着状態を確保することができる。
【００２９】
特に、このラケット用錘１０は、帯状体１１の幅方向の両側縁（挿入部１２ａ）が内面側に突出しているので、装着状態では、帯状体１１の内面側に突出した両側縁（挿入部１２ａ）の間に、バトミントンラケット１のヘッド２が嵌り込み、さらに外れにくくなるという効果がある。
【００３０】
なお、上述した実施形態では、バトミントンラケット１に装着するラケット用錘１０について説明したが、これに限定されるものではなく、例えば、図４（ａ）、（ｂ）に示すように、帯状体１１の長さや幅等の各部の寸法を調整することにより、テニスラケット１Ａ用のラケット用錘１０として使用することも可能であり、バトミントンラケット１の場合と同様の効果を得ることができる。
【００３１】
また、上述したラケット用錘１０では、帯状体１１の両端部を保持部１４を介して相互に接続しているが、これに限定されるものではなく、例えば、図５（ａ）、（ｂ）に示すラケット用錘１０Ａのように、帯状体１１Ａの両端部にそれぞれ環状の保持部１４Ａを形成し、図６に示すように、帯状体１１Ａの両端部にそれぞれ形成された環状の保持部１４Ａをバトミントンラケット１のハンドル５及びシャフト４を通して、保持部１４Ａをシャフト４とヘッド２の接合部に係止させることで、ヘッド２の外周面に被せた帯状体１１Ａを保持することも可能である。
【００３２】
上述したラケット用錘１０の場合は、独立したゴム紐１５によって保持部１４を形成しているが、このラケット用錘１０Ａの場合は、帯状体１１Ａを構成している基布１２Ａの両側部に形成された一対の挿入部１２Ａａ、１２Ａａに１本のゴム紐１３Ａを通して環状に接続することによって、帯状体１１Ａの両端部に保持部１４Ａを形成すればよい。
【００３３】
また、上述した各実施形態では、ゴム紐１５またはゴム紐１３Ａによって保持部１４、１４Ａを形成しているが、例えば、二股のスロートを介してフェイスとシャフトとが接続されるテニスラケットの場合は、帯状体の両端部に面ファスナーによって固定可能な巻付帯をそれぞれ連設しておき、それぞれの巻付帯をスロートに巻き付けて面ファスナーで固定することで保持するようにしてもよく、保持部の形態や保持方法は特に限定されない。
【００３４】
また、上述した各実施形態では、帯状帯１１、１１Ａを伸縮性を有する基布１２、１２Ａとゴム紐１３、１３Ａとによって構成しているが、これに限定されるものではなく、幅方向の両側縁が内面側に突出するように、伸縮性を有する単一の素材によって形成することも可能である。
【００３５】
また、上述したラケット用錘１０では、バトミントンラケット１の全重量の３０％〜７０％の重量を有しているが、これに限定されるものではなく、少なくとも、ラケットの全重量の２０％〜７０％の重量を有していればよい。
【産業上の利用可能性】
【００３６】
本考案は、バトミントンやテニスにおけるラケットの素振り練習に利用することができる。
【符号の説明】
【００３７】
１  バトミントンラケット
１Ａ  テニスラケット
２  ヘッド（環状枠）
３  ストリングス
４  シャフト
５  ハンドル
１０、１０Ａ  ラケット用錘
１１、１１Ａ  帯状体
１１ａ  挿入部
１２、１２Ａ  基布
１２ａ、１２Ａａ  挿入部
１３、１３Ａ  ゴム紐
１４、１４Ａ  保持部
１５  ゴム紐
【図１】
0003185614.tif 000003
【図２】
0003185614.tif 000004
【図３】
0003185614.tif 000005
【図４】
0003185614.tif 000006
【図５】
0003185614.tif 000007
【図６】
0003185614.tif 000008
【図７】
0003185614.tif 000009